(57)【要約】【課題】、省スペースで且つ簡単に設置することができると共に、騒音を出すことなく、効果的に鳥害を防止できる鳥害防止装置を提供する。【解決手段】鳥害防止装置Ｗは、紫外線を照射する紫外線光源１２と、鳥類の接近を検知し検知信号を出力するセンサ１４と、紫外線光源１２及びセンサ１４の駆動を制御すると共に、センサ１４から出力される検知信号を受信すると紫外線光源１２に駆動信号を送信する制御部１１と、紫外線光源１２及び制御部１１を収納するケース体１０とを備え、センサ１４は、ケース体１０の外面部に設置されている。また、紫外線光源１２は、制御部１１からの駆動信号を受信するとケース体１０の外側に向けて所定時間紫外線を照射するようになっている。【選択図】図１
2014140307.tif 000002
【特許請求の範囲】
【請求項１】
紫外線を照射する紫外線光源と、
鳥類の接近を検知し検知信号を出力するセンサと、
前記紫外線光源及び前記センサの駆動を制御すると共に、前記センサから出力される検知信号を受信すると前記紫外線光源に駆動信号を送信する制御部と、
前記紫外線光源及び前記制御部を収納するケース体とを備え、
前記センサは、前記ケース体の外面部に設置されており、
前記紫外線光源は、前記制御部からの駆動信号を受信すると前記ケース体の外側に向けて所定時間紫外線を照射するようになっていることを特徴とする鳥害防止装置。
【請求項２】
紫外線を照射する紫外線光源と、
前記紫外線光源の駆動を制御する制御部と、
前記紫外線光源及び前記制御部を収納するケース体とを備え、
前記紫外線光源は、前記制御部からの駆動信号に基づいて前記ケース体の外側に向けて間欠的に紫外線を照射するようになっていることを特徴とする鳥害防止装置。
【請求項３】
前記ケース体には、前記制御部に電力を供給する電源部が収納され、
前記紫外線光源は、紫外線ＬＥＤを備えた紫外線照射器により構成されていることを特徴とする請求項１又は２記載の鳥害防止装置。
【請求項４】
前記ケース体は、電柱に設けられた腕金或いは開閉器に設置されていることを特徴とする請求項１〜３のいずれかに記載の鳥害防止装置。
【請求項５】
前記紫外線光源から照射される紫外線は、ＵＶＡであることを特徴とする請求項１〜４のいずれかに記載の鳥害防止装置。
【発明の詳細な説明】
【技術分野】
【０００１】
本発明は、鳥害防止装置に関し、例えば、電柱や送電鉄塔等の構造物に設置された腕金等に取付けられて当該構造物から鳥を追い払い、当該構造物への営巣を防止する鳥害防止装置に関する。
【背景技術】
【０００２】
電柱に設置された腕金や開閉器は、カラス等の鳥類に営巣されやすい環境になっており、現実的に、電柱の腕金や開閉器には、多くの巣が作られ、停電や機器故障などの鳥害を発生させている。具体的には、鳥の巣の材料となっている「木の枝や針金等」が電線に接触して停電を引き起こすことがある。また、巣の材料となっている「木の枝や針金等」や鳥の排泄物が、電柱に設置された開閉器の故障を引き起こすことがある。
【０００３】
上記のような鳥害を防止する対策として、従来から種々の対策が提案されている。例えば、特許文献１には、電柱や送電鉄塔を想定しているものではないが、鳥類を追い払う鳥類退治装置（鳥害防止装置）が提案されている。この鳥類退治装置は、鳥類への天敵音（威嚇音）を発生させる威嚇音発生装置を搭載した猛禽類模型と、当該猛禽類模型を回転動作させる駆動装置とを備え、動作する猛禽類模型から威嚇音を発生させることで、鳥類を追い払うようになっている。
また、特許文献２には、送電鉄塔の周りに鳥類防止線を張り巡らして鳥類の進入を防止することが提案されている。
【先行技術文献】
【特許文献】
【０００４】
【特許文献１】特開２０１１−１３９６８８号公報
【特許文献２】特開平７−２７４３６２号公報
【発明の概要】
【発明が解決しようとする課題】
【０００５】
しかしながら、上述した従来技術は、以下に示す技術的課題を有している。
具体的には、特許文献１に記載の鳥類退治装置は、鳥類を威嚇する威嚇音を発生させるものであるため、騒音問題を発生させるという技術的課題を有している。また、特許文献１に記載の鳥類退治装置は、威嚇音発生装置を搭載した猛禽類模型を製作し、その猛禽類模型を回転動作させる構成が必要となるため装置コストが嵩むという技術的課題を有している。さらに、特許文献１の鳥類退治装置は、猛禽類模型を動作させるためにスペースが必要となり、設置できる場所が限定されるという技術的課題も有している（例えば、前記鳥類退治装置は、電柱の腕金に設置することは困難である）。
また、特許文献２に記載の鳥類防止線を張り巡らせる方法は、送電鉄塔の複数位置に、鳥害防止線を張り巡らせるための取付金具を設置し、複数の取付金具に鳥害防止線を張架する必要があり、その手間が非常面倒であるという技術的課題を有している。
【０００６】
本発明は、上記技術的課題に鑑みてなされたものであって、省スペースで且つ簡単に設置することができると共に、騒音を出すことなく、効果的に鳥害を防止できる鳥害防止装置を提供することを目的とする。
【課題を解決するための手段】
【０００７】
上記技術的課題を解決するためになされた本発明の鳥害防止装置は、紫外線を照射する紫外線光源と、鳥類の接近を検知して検知信号を出力するセンサと、前記紫外線光源及び前記センサの駆動を制御すると共に、前記センサから出力される検知信号を受信すると前記紫外線光源に駆動信号を送信する制御部と、前記紫外線光源及び前記制御部を収納するケース体とを備え、前記センサは、前記ケース体の外面部に設置されており、前記紫外線光源は、前記制御部からの駆動信号を受信すると前記ケース体の外側に向けて所定時間紫外線を照射するようになっていることを特徴とする。
【０００８】
このように、本発明の鳥害防止装置は、センサが鳥類の接近を検知すると紫外線光源から紫外線が照射されるように構成され、この構成により、カラス等の鳥類を追い払うことができるようになっている。
具体的には、カラスを含む鳥類は、人間と異なった目の構造をしており、赤色、緑色、青色を感じる３種類の視細胞の他に、紫外線領域を感じとれる視細胞を有し、その４種類の視細胞を使って色を認識するようになっている。
そして、本願発明者らが、カラス等の鳥類が紫外線を見ると目に違和感を感じていると推定される反応を示すことに着目した「鳥害防止の研究」を重ねた結果、鳥類に向けて紫外線を照射することで、鳥類を効果的に追い払うことができることを見出した。尚、所定実験場所に紫外線光源を設置し、カラス等の鳥類が近付いてくる度に、鳥類に紫外線を照射することを繰り返す実験を行ったところ、所定実験場所に鳥類が近寄らなくなった。
そこで、鳥害防止装置に、センサと、紫外線光源と、制御部とを設け、センサが鳥類の接近を検知すると紫外線光源から所定時間紫外線が照射される構成を採用した。これにより、鳥害防止装置に近付いてきた鳥類に紫外線を照射して、鳥害防止装置の設置場所から鳥類を効果的に追い払うことが可能になり、当該設置場所への営巣が防止される。
【０００９】
また、本発明の鳥害防止装置は、威嚇音などの音声を発生させることなく、紫外線を照射することで鳥類を追い払う構成であるため、騒音を引き起こすことなく、鳥害を防止することができる。
また、本発明は、上述した従来技術（特許文献１に記載の発明）のように、猛禽類模型やその猛禽類模型を動作させるための構成が不要であるため、上述した従来技術と比べて、装置コストを軽減することができる。また、上述した従来技術（特許文献１に記載の発明）のような、猛禽類模型を回転駆動させるものではないため、省スペースに設置することができる。
また、本発明の鳥害防止装置は、上述した特許文献２のような「鳥類防止線を張り巡らせる」作業が不要であるため、簡単に設置することができる。
【００１０】
また、本発明の鳥害防止装置は、紫外線を照射する紫外線光源と、前記紫外線光源の駆動を制御する制御部と、前記紫外線光源及び前記制御部を収納するケース体とを備え、前記紫外線光源は、前記制御部からの駆動信号に基づいて前記ケース体の外側に向けて間欠的に紫外線を照射するようになっていることを特徴とする。
このように本発明では、鳥害防止装置のケース体から間欠的に紫外線が照射されるようになっているため、鳥害防止装置の設置場所に鳥類が近づくことを効果的に防止することができる。
【００１１】
また、前記ケース体には、前記制御部に電力を供給する電源部が収納され、前記紫外線光源は、紫外線ＬＥＤを備えた紫外線照射器により構成されていることが望ましい。
このように、紫外線光源を、紫外線ＬＥＤを備えた紫外線照射器で構成することにより、装置の省エネルギー化を図ることができる。
【００１２】
また、前記ケース体は、電柱に設けられた腕金或いは開閉器に設置されていることが望ましい。また、前記紫外線光源から照射される紫外線は、ＵＶＡであることが望ましい。
この構成により、カラス等の鳥類に営巣され易い環境となっている「電柱に装着された腕金や開閉器」にカラス等の鳥類が近付かないようにすることができ、鳥類の営巣を防止することができる。その結果、本発明によれば、カラス等の鳥類の営巣などに起因する停電や機器故障などの発生が防止される。
【発明の効果】
【００１３】
本発明によれば、省スペースで且つ簡単に設置することができると共に、騒音を出すことなく、効果的に鳥害を防止できる鳥害防止装置を提供することができる。
【図面の簡単な説明】
【００１４】
【図１】本実施形態の鳥害防止装置の機能ブロック図である。
【図２】本実施形態の鳥害防止装置を電柱の腕金に設置した状態を示した模式図であり、腕金に設置した鳥害防止装置を斜め上方から見た模式図を示している。
【図３】本実施形態の鳥害防止装置を電柱の腕金に設置した状態を示した模式図であり、腕金に設置した鳥害防止装置を側面から見た模式図を示している。
【図４】本実施形態の鳥害防止装置の変形例の機能ブロック図である。
【発明を実施するための形態】
【００１５】
以下、本発明の実施形態の鳥害防止装置について図面を用いて説明する。先ず、本発明の実施形態の鳥害防止装置の構成を図１、２に基づいて説明する。
【００１６】
図１に示すように、本実施形態の鳥害防止装置Ｗは、装置全体の動作を制御する制御部１１と、紫外線を照射する紫外線光源１２と、制御部１１に電力を供給する電源部１３と、鳥類の接近を検知するセンサ１４とを備えている。また、制御部１１、紫外線光源１２及び電源部１３は、中空箱状のケース体１０に収納され、センサ１４がケース体１０の外面部（例えば、上面１０ａ（図２参照））に設置されている。尚、ケース体１０は、例えば、金属により形成されている。
【００１７】
また、制御部１１は、紫外線光源１２及びセンサ１４に電力を供給し、紫外線光源１２及びセンサ１４の駆動を制御する。また、センサ１４は、鳥類の接近を検知すると、制御部１１に検知信号を出力するように構成されている。また、制御部１１は、センサ１４から出力される検知信号を受信すると紫外線光源１２に駆動信号を送信して、紫外線光源１２に所定時間（例えば、数１０秒間）紫外線を照射させるようになっている。尚、本実施形態では、紫外線が、ケース体１０の上面１０ａ（図２参照）から上方向に照射されるように、ケース体１０内部に紫外線光源１２が配置されている。これにより、鳥害防止装置Ｗに鳥類が接近してきた際に、鳥害防止装置Ｗの外周囲に紫外線が照射され、鳥害防止装置Ｗに近づいてきた鳥類に紫外線が照射されるようになる。
【００１８】
尚、上記構成を採用したのは以下の理由による。すなわち、本願発明者らが、カラス等の鳥類が紫外線を見ると目に違和感を感じていると推定される反応を示すことに着目した「鳥害防止の研究」を重ねた結果、鳥類に向けて紫外線を照射することで、鳥類を効果的に追い払うことができることを見出したためである。特に、カラスは、学習能力が高いため、紫外線を照射された場所には近寄らなくなる傾向があることが判った。したがって、本実施形態の鳥害防止装置Ｗは、特にカラスを効果的に追い払うことができる。以下、鳥害防止装置Ｗの各構成部を説明する。
【００１９】
制御部１１は、上述した制御部１１の機能を実現する専用のハードウェア回路（ASIC （Application Specific Integrated Circuit））により構成されており、電源部１３から電力供給を受けて駆動するようになっている。
尚、制御部１１がハードウェア回路ではなく、ＣＰＵ及びメモリを備えたコンピュータにより構成されていてもよい。この場合、前記メモリに、制御部１１の機能を実現するプログラムを格納しておく。そして、制御部１１の機能は、前記ＣＰＵが前記プログラムを実行することにより実現される。
【００２０】
また、紫外線光源１２は、例えば、紫外線ＬＥＤ（紫外線発光ダイオード（ＵＶＬＥＤ））を備えた紫外線照射器により構成されており、制御部１１からの駆動信号により紫外線を所定時間（例えば数十秒間）照射するようになっている。
尚、紫外線光源１２は、ＵＶＡ紫外線（波長３００〜４００ｎｍ）を照射するようになされていることが望ましい。これは、ＵＶＡがＵＶＢと比べて波長が長く（エネルギーが弱わく）、鳥類に与えるダメージを少なくできるためである。
【００２１】
また、電源部１３は、制御部１１に電力が供給できるものであれば良く、その構成について特に限定されるものではない。例えば、電源部１３は、交換可能な電池と、当該電池を収納する電池ケースと、制御部１１に電力を供給する電力供給線とにより構成されていてもよい。
また、例えば、電源部１３は、ケース体１０に設置される（或いは、ケース体１００の外部に設置される）太陽電池モジュールにより構成されていてもよい。この場合、太陽電池モジュールから延びる電力供給線が制御部１１に接続されている。
また、例えば、電源部１３は、商用電源に接続可能なＡＣアダプタ（AC-DCアダプタ）により構成されていてもよい。
【００２２】
また、本実施形態のセンサ１４は、ケース体１０に鳥類が接近してきたことを検知可能に構成され、鳥類の接近を検知すると、制御部１１に検知信号を出力できるようになっていればよく、具体的な構成について特に限定されるものではない。
【００２３】
例えば、センサ１４が赤外線を検知可能に構成され、赤外線を検知すると検知信号を出力する赤外線センサにより構成されていてもよい。この場合、センサ１４は、鳥害防止装置Ｗに鳥類が接近してくると、その鳥類が発する赤外線を検知し、制御部１１に検知信号を出力するようになっている。
また、例えば、センサ１４が加圧センサにより構成されていてもよい。この場合、センサ１４は、ケース体１０に鳥類が止まると（接触すると）、それ（鳥類の接触）を検知して、制御部１１に検知信号を出力するようになっている。
また、例えば、センサ１４として、加圧センサ及び赤外線センサの両者を備える構成になっていてもよい。
【００２４】
そして、この構成により、鳥害防止装置Ｗに鳥類が接近してくると、鳥害防止装置Ｗの上方に紫外線が照射され、接近してきた鳥類に紫外線が照射される。その結果、鳥害防止装置Ｗの設置場所から鳥類を追い払うことができ、当該設置場所への営巣を効果的に防止することができる。
【００２５】
次に、本実施形態の鳥害防止装置Ｗの設置例を図２、３に示す。
図２、３に示す例では、鳥害防止装置Ｗが、電柱１に装着された腕金３に設置されている。具体的には、腕金３の上面に載置され且つボルト及びナットで固定された板材２０の上に、鳥害防止装置Ｗを固着することにより、鳥害防止装置Ｗが腕金３の上に設置されている。
【００２６】
このように、カラス等の鳥類に営巣され易い環境となっている腕金３に鳥害防止装置Ｗを設置することにより、腕金３にカラス等の鳥類が近付かないようになり、鳥類の営巣が防止される。その結果、本実施形態によれば、カラス等の鳥類の巣に起因する停電や機器故障などが防止される。尚、図２、３に示す例では、腕金３に鳥害防止装置Ｗを設置する例を示したが、例えば、電柱１に装着された開閉器の近傍に、鳥害防止装置Ｗを設置すれば、カラス等の鳥類に営巣され易い環境となっている開閉器への営巣を防止することができる。
また、電柱１に装着された腕金３や開閉器に、鳥類防止装置Ｗを設置した場合、カラス等の鳥類には見えて人間には見えない刺激のある紫外線を照射しても、設置位置が人の位置より離れた電柱上にあり人には有害ではないため、鳥害防止装置Ｗの設置位置の近隣住民よりクレームを受けることがない。
【００２７】
以上、説明したように、本実施形態の鳥害防止装置Ｗは、カラス等の鳥類に紫外線を照射する構成になっているため、カラス等の鳥類を効果的に追い払うことができる。
また、本実施形態では、威嚇音などの音声を発生させることなく、紫外線を照射することで鳥類を追い払う構成であるため、騒音を引き起こすこともなく、鳥類を追い払うことができる。
【００２８】
また、本実施形態の鳥害防止装置Ｗは、上述した従来技術（特許文献１に記載の発明）のように、猛禽類模型やその猛禽類模型を動作させるための構成が不要であるため、上述した従来技術と比べて、装置コストを軽減することができる。また、上述した従来技術（特許文献１に記載の発明）のような、猛禽類模型を回転駆動させるものではないため、省スペースに設置することができる。したがって、本実施形態の鳥害防止装置Ｗは、図２、３に示すように、電柱１に装着された腕金３や開閉器にも設置することができる。
【００２９】
また、本実施形態の鳥害防止装置Ｗは、上述した特許文献２のような「鳥類防止線を張り巡らせる」作業が不要であり、特許文献２に記載の鳥類防止線と比べ、簡単に設置することができる。
【００３０】
尚、本発明は、上述した実施形態に限定されるものではなく、その要旨の範囲内において種々の変更が可能である。
【００３１】
例えば、上述した実施形態では、鳥類の接近を検知するセンサ１４を設けているが、図４に示すように、センサ１４を備えていなくても、鳥類を追い払うことができる。尚、図４は、本実施形態の鳥害防止装置の変形例を示した機能ブロック図である。
【００３２】
具体的には、図４に示す鳥害防止装置Ｗ′は、制御部１１と、紫外線光源１２と、電源部１３と、「制御部１１、紫外線光源１２及び電源部１３」を収納する中空箱状のケース体１０とを備えている。この鳥害防止装置Ｗ′は、制御部１１が、所定時間毎に（例えば、数分間隔で）、紫外線光源１２に駆動信号を送信して、紫外線光源１２に紫外線を照射させる。すなわち、本変形例の鳥害防止装置Ｗ′では、鳥類が接近しているか否かに関係なく、間欠的に紫外線を照射する（例えば、数分間隔毎に、紫外線を照射する（例えば、数１０秒間紫外線を照射する））。この構成においても、上述した実施形態と同様、鳥害を効果的に防止することができる。
【００３３】
また、電柱１の腕金３（或いは開閉器）に鳥害防止装置Ｗを設置する場合、当該鳥類防止装置Ｗが、送配電線（例えば、高圧線）の影響により発生する静電誘導電力により駆動するようにしてもよい。この場合、例えば、電柱１に架設された送配電線に沿って絶縁電動線を架設する。この構成によれば、送配電線と絶縁電動線との間の漂遊静電容量により静電誘導電力が得られ、この静電誘導電力を用いることにより、鳥害防止装置Ｗを駆動させることができる（この構成により、鳥害防止装置の省エネルギー化が実現される）。
【００３４】
また、本実施形態では、鳥害防止装置Ｗの設置場所として、電柱１に装着された腕金３や開閉器を示しているが、これは一例に過ぎない。例えば、送電鉄塔等の構造物に設置するようにしてもよい。
【００３５】
また、ケース体１０（或いは、ケース体１０の外部の腕金３）に太陽電池モジュールを設置する場合、制御部１１は、太陽光が利用できる時間帯（例えば、ＡＭ６時〜ＰＭ５時）だけ太陽電池モジュールから電力供給を受けるようにし、太陽光が利用できない夜間などの時間帯（例えば、ＰＭ５時〜ＡＭ６時）は、商用電源から電力供給を受けるように構成してもよい。
【符号の説明】
【００３６】
１…電柱
３…腕金
Ｗ、Ｗ′…鳥害防止装置
１０…ケース体
１１…制御部
１２…紫外線光源
１３…電源部
１４…センサ
２０…板材
【図１】
2014140307.tif 000003
【図２】
2014140307.tif 000004
【図３】
2014140307.tif 000005
【図４】
2014140307.tif 000006